(57)【特許請求の範囲】
【請求項１】
回転する乾燥チャンバー(4)を軸支する一対の第１、第２軸支部(2,3)の一方の第１軸支部(2)に同軸状に配設された真空パイプ(5)と、前記真空パイプ(5)の先端に設けられ前記乾燥チャンバー(4)内に突出して位置するフィルター部取付パイプ(6)と、前記フィルター部取付パイプ(6)に着脱自在に設けられ管体をなす真空パイプフィルター部(8)と、前記真空パイプフィルター部(8)に設けられたメッシュ部(7)と、前記フィルター部取付パイプ(6)に形成された切欠溝部(20)と、前記真空パイプフィルター部(8)の根元部(9)に設けられ前記切欠溝部(20)と係合するピン(21)と、前記真空パイプフィルター部(8)及びフィルター部取付パイプ(6)を肉厚方向に貫通して螺入される止めネジ(11)と、を備え、
前記真空パイプフィルター部(8)の根元部(9)を前記フィルター部取付パイプ(6)の外周に挿入した後に所定角度(θ)の回転により、前記ピン(21)が前記切欠溝部(20)内を回動して内端部(20c)に当接し、前記止めネジ(11)により前記真空パイプフィルター部(8)が前記フィルター部取付パイプ(6)に固定されることを特徴とするコニカルドライヤー吸引管先端部の接続構造。
【請求項２】
前記所定角度(θ)は、４５度よりなることを特徴とする請求項１記載のコニカルドライヤー吸引管先端部の接続構造。
【発明の詳細な説明】
【技術分野】
【０００１】
本発明は、コニカルドライヤー吸引管先端部の接続構造に関し、特に、フィルター部取付パイプに対して簡単かつ確実に真空パイプフィルター部を着脱自在とするための新規な改良に関する。
【背景技術】
【０００２】
従来、用いられていたこの種のコニカルドライヤー吸引管先端部の接続構造としては、社内製作のみで、特許出願をしていないため、特許文献等は特に開示していないが、図６及び図７で示される構成を従来例として挙げることができる。
すなわち、図７において符号１で示されるものは台部であり、この台部１上の両端には第１、第２軸支部２，３が設けられ、各軸支部２，３間には乾燥チャンバー４が外部駆動により回転自在に設けられている。
【０００３】
各軸支部２，３の一方の第１軸支部２には、管状の真空パイプ５が同軸状に配設され、この真空パイプ５の先端のフィルター部取付パイプ６は前記乾燥チャンバー４内に突出して位置し、このフィルター部取付パイプ６の外周には、図６で示されるように、フィルター７を有する真空パイプフィルター部８の根元部９がネジ部１０を介して螺合して設けられている。
【０００４】
前記フィルター部取付パイプ６の外周に螺合された前記根元部９は、止めネジ１１によって固定されている。
従って、前述の構成において、前記乾燥チャンバー４内で、湿った粉体を加熱乾燥し、この乾燥した粉体は、前記真空パイプ５の吸引部１２に接続されたバキューム式の図示しない吸引体により吸引され、フィルター７を介して濾過されつつ気体は外部に排気され、乾燥した粉体は乾燥チャンバー４内に残る。
また、前述のフィルター部取付パイプ６と根元部９の接続構造は、ネジ部１０と止めネジ１１を用いた構成の他に、図示していないが、ネジ込みフランジ等も用いられている。
【発明の開示】
【発明が解決しようとする課題】
【０００５】
従来のコニカルドライヤー吸引管先端部の接続構造は、以上のように構成されていたため、次のような課題が存在していた。
すなわち、フィルター部取付パイプの外周にネジ部を形成する構成では、使用中に受ける力によるネジの喰い込みや、内容物である粉体の噛み込み、また、フランジを使用する構成では、構造の複雑化により部品点数が増加し、取り外し作業時に部品を落下させる恐れ等もあった。
【課題を解決するための手段】
【０００６】
本発明によるコニカルドライヤー吸引管先端部の接続構造は、回転する乾燥チャンバーを軸支する一対の第１、第２軸支部の一方の第１軸支部に同軸状に配設された真空パイプと、前記真空パイプの先端に設けられ前記乾燥チャンバー内に突出して位置するフィルター部取付パイプと、前記フィルター部取付パイプに着脱自在に設けられ管体をなす真空パイプフィルター部と、前記真空パイプフィルター部に設けられたメッシュ部と、前記フィルター部取付パイプに形成された切欠溝部と、前記真空パイプフィルター部の根元部に設けられ前記切欠溝部と係合するピンと、前記真空パイプフィルター部及びフィルター部取付パイプを肉厚方向に貫通して螺入される止めネジと、を備え、前記真空パイプフィルター部の根元部を前記フィルター部取付パイプの外周に挿入した後に所定角度の回転により、前記ピンが前記切欠溝部内を回動して内端部に当接し、前記止めネジにより前記真空パイプフィルター部が前記フィルター部取付パイプに固定される構成であり、また、前記所定角度は、４５度よりなる構成である。
【発明の効果】
【０００７】
本発明によるコニカルドライヤー吸引管先端部の接続構造は、以上のように構成されているため、次のような効果を得ることができる。
すなわち、乾燥チャンバーに接続された真空パイプの先端のフィルター部取付パイプの外周に真空パイプフィルター部の根元部を挿入させ、所定角度回転させた後に止めネジで前記根元部をフィルター部取付パイプに固定するため、乾燥チャンバー内におけるフィルター部取付パイプに対する真空パイプフィルター部の着脱が極めて容易である。
また、フィルター部取付パイプに対する真空パイプフィルター部の着脱は、実質的に止めネジのみであるため、作業としては、工具等を用いる必要がなく、乾燥チャンバー内への工具等の落下によるホーロー仕上げの内壁に対する損傷等を防止することができる。
また、フィルター部取付パイプに対する真空パイプフィルター部の根元部の接続が相互の軸方向に沿う挿入のみであるため、粉体等の噛み込みもなく、完全に結合でき、真空による吸引時も漏れのない完全な吸引を行うことができる。
【発明を実施するための最良の形態】
【０００８】
本発明は、フィルター部取付パイプに対して簡単かつ確実に真空パイプフィルター部を着脱自在とするようにしたコニカルドライヤー吸引管先端部の接続構造を提供することを目的とする。
【実施例】
【０００９】
以下、図面と共に本発明によるコニカルドライヤー吸引管先端部の接続構造の好適な実施の形態について説明する。
尚、従来例と同一又は同等部分には、同一符号を付して説明する。
図４において符号１で示されるものは、台部であり、この台部１上の両端には第１、第２軸支部２，３が設けられ、各軸支部２，３間には乾燥チャンバー４が駆動部４Ａによる外部駆動により回転自在に設けられている。
すなわち、前記駆動部４Ａの回転は、ベルト４Ｂ、プーリ４Ｃ、駆動ギア４Ｄ及び従動ギア４Ｅを介して前記乾燥チャンバー４を回転するように構成されている。
【００１０】
各軸支部２，３の一方の第１軸支部２には、管状の真空パイプ５が同軸状に配設され、この真空パイプ５の先端のフィルター部取付パイプ６は前記乾燥チャンバー４内に突出して位置し、このフィルター部取付パイプ６の外周には、図１で示されるように、フィルターとしてのメッシュ部７を有する真空パイプフィルター部８の根元部９が挿入によって挿入接続されている。
尚、この根元部９の先端に設けられたＯリング９ａはフィルター部取付パイプ６の外周に蜜合している。
【００１１】
前記フィルター取付パイプ６の前記根元部９と対応する端部位置には、図２及び図３で示されるように、所定角度θ（本形態では４５度）の範囲で形成され平面形状でＬ字型をなす切欠溝部２０が形成されている。
前記真空パイプフィルター部８の根元部９には、半径方向に沿って長手方向を有するピン２１が設けられ、このピン２１は前記切欠溝部２０と係合するように構成されている。
【００１２】
前記真空パイプフィルター部８の根元部９及びフィルター部取付パイプ６には、図２に示されるように、肉厚方向に貫通して形成されたネジ孔９Ａ及び６Ａが設けられており、これらの各ネジ孔９Ａ及び６Ａには、前記根元部９の外側から貫通する状態で止めネジ１１が螺入されることにより、前記根元部９がフィルター部取付パイプ６に固定されるように構成されている。
【００１３】
従って、前述の構成において、前記真空パイプフィルター部８を前記フィルター部取付パイプ６に接続する場合、前記フィルター部取付パイプ６の端部６ａに形成され平面形状でＬ字型をなす  切欠溝部２０の直線状の入口部２０ａに根元部９のピン２１を挿入し、ピン２１が角部２０ｂに当接した状態で、根元部９を図２の所定角度θに沿って回転させることにより、ピン２１が切欠溝部２０の内端部２０ｃに当接した状態で、フィルター部取付パイプ６に対する根元部９の接続が完了し、その後、前記止めねじ１１を直列状の前記各ネジ孔９Ａ及び６Ａに螺入して螺合することにより、相互の固定が完了する。
【００１４】
前述のように、前記乾燥チャンバー４内における真空パイプフィルター部８の取付完了後に、乾燥チャンバー４により湿った状態の粉体を加熱乾燥し、この乾燥した粉体は、乾燥チャンバー４内に残り、前記真空パイプ５の吸引部１２に接続されたバキューム式の図示しない吸引体により吸引された気体は、メッシュ部７を介して濾過されつつ外部に排気される。
【図面の簡単な説明】
【００１５】
【図１】本発明によるコニカルドライヤー吸引管先端部の接続構造を示す断面図である。
【図２】図１の要部の断面図である。
【図３】図１の切欠溝部の拡大平面図である。
【図４】図１の接続構造を用いた乾燥チャンバーを示す断面構成図である。
【図５】図４の右側面図である。
【図６】従来構成を示す断面図である。
【図７】図６の従来構成を用いた乾燥チャンバーを示す断面構成図である。
【符号の説明】
【００１６】
１    台部
２    第１軸支部
３    第２軸支部
４    乾燥チャンバー
５    真空パイプ
６    フィルター部取付パイプ
６Ａ，９Ａ    ネジ孔
７    メッシュ部
８    真空パイプフィルター部
９    根元部
１１    止めネジ
２０    切欠溝部
２１    ピン
θ    所定角度
【図１】
0005149068.tif 000002
【図２】
0005149068.tif 000003
【図３】
0005149068.tif 000004
【図４】
0005149068.tif 000005
【図５】
0005149068.tif 000006
【図６】
0005149068.tif 000007
【図７】
0005149068.tif 000008